(57)【要約】      （修正有）【課題】水分は隆起部の頂点から傾斜面としての各側面に向かって流下し、各辺に流下した水分は連続する各辺からなる縦横両斜め方向に交差して延びる排水路を経て排水することができ、容器体の内底面における水分の停留を防ぐことができ、容器体内が湿潤環境を回避して乾燥状態を維持することができ、衛生面管理及び保温・保冷効果を向上することができ、各隆起部が多角錐形状であることにより容器体の内底面の強度向上を図ることができ、使用の耐久性を向上することができ、さらに、容器体の内底面の複数個の多角錐形状の隆起部により装飾的効果も得ることができるクーラーボックスを提供する。【解決手段】上開口部を備えた容器体１と、容器体の上開口部を開閉可能な蓋体と、蓋体を容器体に開閉自在に被嵌させる開閉機構と、容器体を持上可能な持手体とからなり、上記容器体の内底面Ｆに複数個の隆起部１１・・が連続形成され、各隆起部は多角錐形状である。【選択図】図５
0003219610.tif 000002
【実用新案登録請求の範囲】
【請求項１】
上開口部を備えた容器体と、該容器体の上開口部を開閉可能な蓋体と、該蓋体を該容器体に開閉自在に被嵌させる開閉機構と、該容器体を持上可能な持手体とからなり、上記容器体の内底面に複数個の隆起部が連続形成され、該各隆起部は多角錐形状であることを特徴とするクーラーボックス。
【請求項２】
上記容器体の内底面の外周部分に排水周溝部が囲繞形成され、該排水周溝部の内方の内底面に上記複数個の隆起部が連続形成されていることを特徴とする請求項１記載のクーラーボックス。
【請求項３】
上記各隆起部は底面が菱形の四角錐形状であることを特徴とする請求項１又は２記載のクーラーボックス。
【請求項４】
上記容器体に水抜き機構を配設してなることを特徴とする請求項１〜３のいずれか１項に記載のクーラーボックス。
【請求項５】
上記容器体及び上記蓋体は断熱・断冷構造となっていることを特徴とする請求項１〜４のいずれか１項に記載のクーラーボックス。
【考案の詳細な説明】
【技術分野】
【０００１】
本考案は、例えば、スーパーマーケット、コンビニエンスストアーで購入した食料品や日用品等の商品を自宅に持ち帰る際やハイキング用、レジャー用等に用いられるクーラーボックスに関するものである。
【背景技術】
【０００２】
従来、この種のクーラーボックスとして、例えば、上開口部を備えた容器体と、容器体の上開口部を開閉可能な蓋体と、蓋体を容器体に開閉自在に被嵌させる開閉機構と、容器体を持上可能な持手体とからなる構造のものが知られている。
【先行技術文献】
【特許文献】
【０００３】
【特許文献１】特許第４５６５４０６号公報
【特許文献２】特許第２８８０１０７号公報
【考案の概要】
【考案が解決しようとする課題】
【０００４】
しかしながら上記従来構造の場合、容器体の内底面は全面が平坦面に形成され、若しくは、容器体の内底面に長円形状や楕円形状の上面が平坦面となっている隆起部が複数個形成された構造となっており、このため、上記前者の構造の内底面上、若しくは後者の構造の隆起部の上面に水分が滞留し易く、容器体内が湿潤環境となり、長期の不使用時や保管時において、衛生上、保温・保冷効果上或いは使用の耐久性上の問題が生ずることがあるという不都合を有している。
【課題を解決するための手段】
【０００５】
本考案はこれらの不都合を解決することを目的とするもので、本考案のうちで、請求項１記載の考案は、上開口部を備えた容器体と、該容器体の上開口部を開閉可能な蓋体と、該蓋体を該容器体に開閉自在に被嵌させる開閉機構と、該容器体を持上可能な持手体とからなり、上記容器体の内底面に複数個の隆起部が連続形成され、該各隆起部は多角錐形状であることを特徴とするクーラーボックスにある。
【０００６】
又、請求項２記載の考案は、上記容器体の内底面の外周部分に排水周溝部が囲繞形成され、該排水周溝部の内方の内底面に上記複数個の隆起部が連続形成されていることを特徴とするものであり、又、請求項３記載の考案は、上記各隆起部は底面が菱形の四角錐形状であることを特徴とするものであり、又、請求項４記載の考案は、上記容器体に水抜き機構を配設してなることを特徴とするものであり、又、請求項５記載の考案は、上記容器体及び上記蓋体は断熱・断冷構造となっていることを特徴とするものである。
【考案の効果】
【０００７】
本考案は上述の如く、請求項１記載の考案にあっては、上開口部を備えた容器体と、容器体の上開口部を開閉可能な蓋体と、蓋体を容器体に開閉自在に被嵌させる開閉機構と、容器体を持上可能な持手体とからなり、上記容器体の内底面に複数個の隆起部が連続形成され、各隆起部は多角錐形状であるから、水分は隆起部の頂点から傾斜面としての各側面に向かって流下し、各辺に流下した水分は連続する各辺からなる縦横両斜め方向に交差して延びる排水路を経て排水することができ、容器体の内底面における水分の停留を防ぐことができ、容器体内が湿潤環境を回避して乾燥状態を維持することができ、衛生面管理及び保温・保冷効果を向上することができ、各隆起部が多角錐形状であることにより容器体の内底面の強度向上を図ることができ、使用の耐久性を向上することができ、さらに、容器体の内底面に複数個の多角錐形状の隆起部が連続形成されることにより装飾的効果も得ることができる。
【０００８】
又、請求項２記載の考案にあっては、上記容器体の内底面の外周部分に排水周溝部が囲繞形成され、排水周溝部の内方の内底面に上記複数個の隆起部が連続形成されているから、水分は隆起部の頂点から傾斜面としての各側面に向かって流下し、各辺に流下した水分は連続する各辺からなる縦横両斜め方向に交差して延びる排水路及び排水周溝部を経て排水することができ、容器体の内底面における水分の停留を防ぐことができ、又、請求項３記載の考案にあっては、上記各隆起部は底面が菱形の四角錐形状であるから、水分は隆起部の頂点から傾斜面としての４個の各側面に向かって流下し、４個の各辺に流下した水分は連続する各辺からなる縦横両斜め方向に交差してＸ状に延びる排水路を経て排水することができ、容器体の内底面における水分の停留を防ぐことができ、容器体内が湿潤環境を回避して乾燥状態を維持することができ、衛生面管理及び保温・保冷効果を向上することができ、各隆起部が菱形の四角錐形状であることにより容器体の内底面の強度向上を図ることができ、使用の耐久性を向上することができ、又、請求項４記載の考案にあっては、上記容器体に水抜き機構を配設してなるから、容器体の内底面の水分を容器体の外方に排水することができ、容器体の内底面における水分の停留を防ぐことができ、又、請求項５記載の考案にあっては、上記容器体及び上記蓋体は断熱・断冷構造となっているから、容器体及び蓋体の断熱・断冷構造により商品の鮮度を維持することができ、使用の利便性を高めることができる。
【図面の簡単な説明】
【０００９】
【図１】本考案の実施の形態例の全体斜視図である。
【図２】本考案の実施の形態例の開蓋状態の全体斜視図である。
【図３】本考案の実施の形態例の部分側断面図である。
【図４】本考案の実施の形態例の部分平面図である。
【図５】本考案の実施の形態例の部分斜視図である。
【図６】本考案の実施の形態例の部分拡大平断面図である。
【図７】本考案の実施の形態例の部分拡大側断面図である。
【図８】本考案の実施の形態例の部分斜視図である。
【考案を実施するための形態】
【００１０】
図１乃至図８は本考案の実施の形態例を示し、大別して、上開口部Ｍを備えた容器体１と、容器体１の上開口部Ｍを開閉可能な蓋体２と、蓋体２を容器体１に開閉自在に被嵌させる開閉機構３と、容器体１を持上可能な持手体４とから構成されている。
【００１１】
この場合、図３の如く、上記容器体１は、合成樹脂製の外容器体１ａ及び合成樹脂製の内容器体１ｂを発泡品からなる断熱・断冷材Ｄを内蔵して組み立てられ、上部に上開口部Ｍを備えた断熱・断冷構造に形成されている。
【００１２】
この場合、図１、図３の如く、上記蓋体２は、合成樹脂製の外蓋体２ａ及び合成樹脂製の内蓋体２ｂを発泡品からなる断熱・断冷材Ｄを内蔵して組み立てられ、内蓋体２ｂにパッキン材５を配置し、容器体１の上開口部Ｍを開閉可能な大きさにして断熱・断冷構造に形成され、蓋体２の外蓋体２ａの上面中央部に平面コ状の持手体４を起倒機構６により起立倒伏自在に設けて構成している。
【００１３】
この場合、上記起倒機構６として、図１の如く、上記外蓋体２ａの中央部上面に持手体４を埋入可能な平面コ状の埋入凹部２ｃを形成し、平面コ状の埋入凹部２ｃを形成する蓋体２の外蓋体２ａに軸受部２ｄ・・を形成し、軸受部２ｄ・・に軸受穴２ｅ・２ｅを形成し、持手体４に一対の軸部４ａ・４ａを突出形成し、軸受穴２ｅ・２ｅと軸部４ａ・４ａとの嵌合により持手体４を起倒自在に構成している。
【００１４】
この場合、上記開閉機構３として、図１、図２、図４の如く、容器体１及び蓋体２のそれぞれの一方辺縁部間をヒンジ機構７・７のヒンジ軸７ａ・７ａによりヒンジ結合すると共に容器体１及び蓋体２のそれぞれの他方辺縁部間に相互に嵌脱自在なバックル８ａ・８ａ及び係止部８ｂ・８ｂからなる尾錠機構８を配設し、バックル８ａ・８ａは容器体１に枢着され、係止部８ｂ・８ｂは蓋体２に形成され、尾錠機構８・８のバックル８ａ・８ａを係止部８ｂ・８ｂから離脱させることによりヒンジ機構７・７を中心として蓋体２は上向き開口動作可能となり、又、ヒンジ機構の７・７ヒンジ軸７ａ・７ａにより蓋体２を下向き閉口動作して尾錠機構８・８のバックル８ａ・８ａを係止部８ｂ・８ｂに嵌合係止させることにより蓋体２で容器体１を閉止し、上記蓋体２を容器体１に開閉自在に被嵌させるように構成している。
【００１５】
９はベルト掛部であって、図１、図２、図４の如く、上記容器体１の対向する外側面に２個形成され、ベルト掛部９の挿通穴部９ａに図示省略の肩掛けベルトを挿通して肩掛け状態で使用可能に構成している。
【００１６】
１０は水抜き機構であって、この場合、図１、図３、図７の如く、上記容器体１の側面に水抜き穴部１０ａが形成され、水抜き穴部１０ａに開閉可能な水抜き栓１０ｂが設けられ、水抜き栓１０ｂのキャップ１０ｃを弛緩回動して水抜き栓１０ｂを開口し、容器体１内に滞留する水を排水するように構成している。
【００１７】
１１は隆起部であって、図５の如く、上記容器体１の内底面Ｆに複数個連続して形成され、各隆起部１１・・は多角錐形状、この場合、底面が菱形の四角錐形状に形成されている。
【００１８】
すなわち、上記多角錐形状とは、図８の如く、多角形の面を底面Ｓとし、この底面Ｓの各辺Ｓ１・・を一辺とする三角形の面を側面Ｅ・・とし、頂点Ｔを共通とした形状とされ、しかして、各隆起部１１・・の各辺１１ａ・・（Ｓ１・・）は低位置にて相互に連続配置され、各隆起部１１・・の各頂点１１ｂ・・（Ｔ・・）は高位置にて散在配置され、これにより頂点１１ｂから各辺１１ａ・・に向かって水分が流下し、各辺１１ａ・・に流下した水分は連続する各辺１１ａ・・からなる縦横両斜め方向に交差して延びる排水路Ｈを経て排水するように構成している。
【００１９】
この場合、図５、図６、図７、図８の如く、上記各隆起部１１は底面Ｓが菱形の四角錐形状であり、すなわち、上記菱形の四角錐形状とは、菱形の面を底面Ｓとし、この底面Ｓの４個の各辺Ｓ１・・を一辺Ｓ１とする三角形の４個の面を側面Ｅ・・とし、頂点Ｔを共通とした形状とされ、しかして、各隆起部１１・・の各辺１１ａ・・（Ｓ１・・）は低位置にて相互に連続配置され、各隆起部１１・・の各頂点１１ｂ・・（Ｓ１・・）は高位置にて散在配置され、これにより頂点１１ｂから各辺１１ａ・・に向かって水分が流下し、各辺１１ａ・・に流下した水分は連続する各辺１１ａ・・からなる縦横両斜め方向に交差して延びる排水路Ｈを経て排水するように構成している。
【００２０】
この場合、図３、図４の如く、上記容器体１の内底面Ｆの外周部分に排水周溝部Ｆ１が囲繞形成され、排水周溝部Ｆ１の内方の内底面Ｆに上記複数個の隆起部１１・・が連続形成され、容器体１の側面に水抜き機構１０の水抜き穴部１０ａが形成され、排水周溝部Ｆ１と水抜き穴部１０ａとを連通して構成している。
【００２１】
この実施の形態例は上記構成であるから、図１、図２の如く、上開口部Ｍを備えた容器体１と、容器体１の上開口部Ｍを開閉可能な蓋体２と、蓋体２を容器体１に開閉自在に被嵌させる開閉機構３と、容器体１を持上可能な持手体４とからなり、図６、図７、図８の如く、上記容器体１の内底面Ｆに複数個の隆起部１１・・が連続形成され、各隆起部１１・・は多角錐形状であるから、水分は隆起部１１の頂点１１ｂから傾斜面としての各側面Ｅ・・に向かって流下し、各辺１１ａ・・に流下した水分は連続する各辺１１ａ・・からなる縦横両斜め方向に交差して延びる排水路Ｈを経て排水することができ、容器体１の内底面Ｆにおける水分の停留を防ぐことができ、容器体１内が湿潤環境を回避して乾燥状態を維持することができ、衛生面管理及び保温・保冷効果を向上することができ、各隆起部１１・・が多角錐形状であることにより容器体１の内底面Ｆの強度向上を図ることができ、使用の耐久性を向上することができ、さらに、容器体１の内底面Ｆに複数個の多角錐形状の隆起部１１・・が連続形成されることにより装飾的効果も得ることができる。
【００２２】
又、この場合、上記容器体１の内底面Ｆの外周部分に排水周溝部Ｆ１が囲繞形成され、排水周溝部Ｆ１の内方の内底面Ｆに上記複数個の隆起部１１・・が連続形成されているから、水分は隆起部１１の頂点１１ｂから傾斜面としての各側面Ｅに向かって流下し、各辺１１ａ・・に流下した水分は連続する各辺１１ａ・・からなる縦横両斜め方向に交差して延びる排水路Ｈ及び排水周溝部Ｆ１を経て排水することができ、容器体１の内底面Ｆにおける水分の停留を防ぐことができ、又、この場合、上記各隆起部１１・・は底面Ｓが菱形の四角錐形状であるから、水分は隆起部１１の頂点１１ｂから傾斜面としての４個の各側面Ｅ・・に向かって流下し、４個の各辺１１ａ・・に流下した水分は連続する各辺１１ａ・・からなる縦横両斜め方向に交差してＸ状に延びる排水路Ｈ・・を経て排水することができ、容器体１の内底面Ｆにおける水分の停留を防ぐことができ、容器体１内が湿潤環境を回避して乾燥状態を維持することができ、衛生面管理及び保温・保冷効果を向上することができ、各隆起部１１・・が菱形の四角錐形状であることにより容器体１の内底面Ｆの強度向上を図ることができ、使用の耐久性を向上することができ、又、この場合、上記容器体１に水抜き機構１０を配設してなるから、容器体１の内底面Ｆの水分を容器体１の外方に排水することができ、容器体１の内底面Ｆにおける水分の停留を防ぐことができ、又、この場合、上記容器体１及び上記蓋体２は断熱・断冷構造となっているから、容器体１及び蓋体２の断熱・断冷構造により商品の鮮度を維持することができ、使用の利便性を高めることができる。
【００２３】
尚、本考案は上記実施の形態例のものに限られず、例えば、容器体１、蓋体２、開閉機構３、隆起部１１の形態や数、配置位置、構造は適宜変更して設計されるものである。
【００２４】
以上の如く、所期の目的を充分達成することができる。
【符号の説明】
【００２５】
Ｍ    上開口部
Ｆ    内底面
Ｆ１    排水周溝部
１    容器体
２    蓋体
３    開閉機構
４    持手体
１０    水抜き機構
１１    隆起部
【図１】
0003219610.tif 000003
【図２】
0003219610.tif 000004
【図３】
0003219610.tif 000005
【図４】
0003219610.tif 000006
【図５】
0003219610.tif 000007
【図６】
0003219610.tif 000008
【図７】
0003219610.tif 000009
【図８】
0003219610.tif 000010